(57)【要約】【課題】複数のコンテナを連結した場合に、複数のコンテナの内容物をつなぐ接続部材（バスバー等）の導出部分に位置ずれがあっても、露出した接続部材を効率よく覆うことができ、しかも美観を損なうことがないダクト部材を提供する。【解決手段】第１コンテナ１２Ａの内容物と第２コンテナ１２Ｂの内容物とをつなぐ導通媒体２２を保護する第１ダクト部材２０Ａであって、第１コンテナ１２Ａに固定され、導通媒体２２が挿通される第１固定部２６Ａと、第１コンテナ１２Ａと第２コンテナ１２Ｂの一方向の位置ずれを吸収する第１位置ずれ吸収機構３０Ａと、第２コンテナ１２Ｂに固定され、導通媒体２２が挿通される第２固定部２６Ｂと、第１コンテナ１２Ａと第２コンテナ１２Ｂの他方向の位置ずれを吸収する第２位置ずれ吸収機構３０Ｂと、第１固定部２６Ａと第２固定部２６Ｂとに固定され、導通媒体２２が挿通されるカバー部材２８とを有する。【選択図】図２
0003202750.tif 000002
【実用新案登録請求の範囲】
【請求項１】
一方のコンテナの内容物と他方のコンテナの内容物とをつなぐ接続部材を保護するダクト部材であって、
前記一方のコンテナに固定され、前記接続部材が挿通される第１固定部と、
前記一方のコンテナと前記他方のコンテナの一方向の位置ずれを吸収する第１位置ずれ吸収機構と、
前記他方のコンテナに固定され、前記接続部材が挿通される第２固定部と、
前記一方のコンテナと前記他方のコンテナの他方向の位置ずれを吸収する第２位置ずれ吸収機構と、
前記第１固定部と前記第２固定部とに固定され、前記接続部材が挿通されるカバー部材とを有することを特徴とするダクト部材。
【請求項２】
請求項１記載のダクト部材において、
前記第１固定部は、
前記接続部材が挿通される第１筒部と、
前記第１筒部の一方の端部に設けられ、前記一方のコンテナに固定される第１コンテナ側フランジ部と、
前記第１筒部の他方の端部に設けられた第１カバー側フランジ部と、を有し、
前記第２固定部は、
前記接続部材が挿通される第２筒部と、
前記第２筒部の一方の端部に設けられ、前記他方のコンテナに固定される第２コンテナ側フランジ部と、
前記第２筒部の他方の端部に設けられた第２カバー側フランジ部と、を有し、
前記カバー部材は、
前記接続部材が挿通される第３筒部及び第４筒部と、
前記第３筒部の端部に設けられ、前記第１固定部の前記第１カバー側フランジ部に固定される第３フランジ部と、
前記第４筒部の端部に設けられ、前記第２固定部の前記第２カバー側フランジ部に固定される第４フランジ部と、を有することを特徴とするダクト部材。
【請求項３】
請求項２記載のダクト部材において、
前記第１カバー側フランジ部と前記カバー部材の前記第３フランジ部とが第１締結部材で固定され、
前記第２カバー側フランジ部と前記カバー部材の前記第４フランジ部とが第２締結部材で固定され、
前記第１位置ずれ吸収機構は、前記カバー部材の第３フランジ部に設けられた第１長孔を有し、
前記第２位置ずれ吸収機構は、前記カバー部材の第４フランジ部に設けられた第２長孔を有し、
前記第１長孔は、一方向を長軸とし、且つ、前記第１締結部材が挿通され、
前記第２長孔は、他方向を長軸とし、且つ、前記第２締結部材が挿通されることを特徴とするダクト部材。
【請求項４】
請求項２又は３記載のダクト部材において、
前記第１カバー側フランジ部と前記第３フランジ部間に第１パッキンが介在し、
前記第２カバー側フランジ部と前記第４フランジ部間に第２パッキンが介在していることを特徴とするダクト部材。
【請求項５】
請求項２〜４のいずれか１項に記載のダクト部材において、
前記第１カバー側フランジ部と、前記第３フランジ部と、前記第１カバー側フランジ部及び前記第３フランジ部との間とを覆う第１フランジカバーと、
前記第２カバー側フランジ部と、前記第４フランジ部と、前記第２カバー側フランジ部及び前記第４フランジ部との間とを覆う第２フランジカバーと、を有することを特徴とするダクト部材。
【請求項６】
請求項５記載のダクト部材において、
前記第１フランジカバーは、
前記第１カバー側フランジ部の一方の側部と、前記第３フランジ部の一方の側部と、前記第１カバー側フランジ部及び前記第３フランジ部との間の一方の側部とを覆う一方の第１側部カバーと、
前記第１カバー側フランジ部の他方の側部と、前記第３フランジ部の他方の側部と、前記第１カバー側フランジ部及び前記第３フランジ部との間の他方の側部とを覆う他方の第１側部カバーと、
前記第１カバー側フランジ部の上部と、前記第３フランジ部の上部と、前記第１カバー側フランジ部及び前記第３フランジ部との間の上部と、前記一方の第１側部カバーの上部と、前記他方の第１側部カバーの上部とを覆う第１上部カバーと、
前記第１カバー側フランジ部の下部と、前記第３フランジ部の下部と、前記第１カバー側フランジ部及び前記第３フランジ部との間の下部と、一方の前記第１側部カバーの下部と、前記他方の第１側部カバーの下部とを覆う第１下部カバーと、を有することを特徴とするダクト部材。
【請求項７】
請求項５又は６記載のダクト部材において、
前記第２フランジカバーは、
前記第２カバー側フランジ部の一方の側部と、前記第４フランジ部の一方の側部と、前記第２カバー側フランジ部及び前記第４フランジ部との間の一方の側部とを覆う一方の第２側部カバーと、
前記第２カバー側フランジ部の他方の側部と、前記第４フランジ部の他方の側部と、前記第２カバー側フランジ部及び前記第４フランジ部との間の他方の側部とを覆う他方の第２側部カバーと、
前記第２カバー側フランジ部の上部と、前記第４フランジ部の上部と、前記第２カバー側フランジ部及び前記第４フランジ部との間の上部と、前記一方の第２側部カバーの上部と、前記他方の第２側部カバーの上部とを覆う第２上部カバーと、
前記第２カバー側フランジ部の下部と、前記第４フランジ部の下部と、前記第２カバー側フランジ部及び前記第４フランジ部との間の下部と、一方の前記第２側部カバーの下部と、前記他方の第２側部カバーの下部とを覆う第２下部カバーと、を有することを特徴とするダクト部材。
【請求項８】
請求項２〜７のいずれか１項に記載のダクト部材において、
前記カバー部材は、
前記第３筒部及び前記第４筒部を有する基部と、
前記基部の内部を覆うカバー部材本体と、を有し、
前記基部は、外周に第５フランジ部を有し、
前記カバー部材本体は、外周に第６フランジ部を有し、
前記第５フランジ部と前記第６フランジ部とが第３締結部材によって固定されていることを特徴とするダクト部材。
【請求項９】
請求項８記載のダクト部材において、
前記基部は、内周方向に延びる枠片と、前記枠片からカバー部材本体に向かって突出する張り出し片とを有し、
前記カバー部材本体は、その内壁に、第３パッキンが固定された枠部を有し、
前記第５フランジ部と前記第６フランジ部とが第３締結部材によって固定された際に、前記張り出し部の先端部が前記第３パッキンに食い込むことを特徴とするダクト部材。
【請求項１０】
請求項１〜９のいずれか１項に記載のダクト部材において、
前記接続部材は、前記一方のコンテナの内容物と前記他方のコンテナの内容物とを電気的に接続するケーブルであることを特徴とするダクト部材。
【請求項１１】
請求項１０記載のダクト部材において、
前記内容物は、二次電池であることを特徴とするダクト部材。
【請求項１２】
請求項１〜９のいずれか１項に記載のダクト部材において、
前記接続部材は、前記一方のコンテナの内容物と前記他方のコンテナの内容物に気体又は液体を供給するためのチューブであることを特徴とするダクト部材。
【請求項１３】
互いに連結された一方のコンテナ及び他方のコンテナと、
前記一方のコンテナの内容物と前記他方のコンテナの内容物とをつなぐ接続部材を保護するダクト部材とを有し、
前記ダクト部材は、前記一方のコンテナに固定され、前記接続部材が挿通される第１固定部と、
前記一方のコンテナと前記他方のコンテナの一方向の位置ずれを吸収する第１位置ずれ吸収機構と、
前記他方のコンテナに固定され、前記接続部材が挿通される第２固定部と、
前記一方のコンテナと前記他方のコンテナの他方向の位置ずれを吸収する第２位置ずれ吸収機構と、
前記第１固定部と前記第２固定部とに固定され、前記接続部材が挿通されるカバー部材とを有することを特徴とする収納装置。
【考案の詳細な説明】
【技術分野】
【０００１】
本考案は、一方のコンテナの内容物と他方のコンテナの内容物とをつなぐ接続部材（例えば電気信号を伝達させるためのケーブル、気体や液体を供給するためのチューブ等）を保護するダクト部材と、該ダクト部材を有する収納装置に関する。
【背景技術】
【０００２】
一般に、複数のコンテナを連結して１つの大型装置を構成する場合、例えばコンテナの側壁等に一体に設けられた係止手段等を用いて連結することが挙げられる。例えば特許文献１では、一方のコンテナの側壁部に形成された係止凸部と、他方のコンテナの側壁部に配置された一対の係止片とで係止手段を構成した例が記載されている。
【先行技術文献】
【特許文献】
【０００３】
【特許文献１】特開２００５−１３２３７７号公報
【考案の概要】
【考案が解決しようとする課題】
【０００４】
ところで、コンテナには内容物によっては、電気信号を伝達させるためのケーブルを配線したり、気体や液体を供給するためのチューブを配管する場合がある。もちろん、複数のコンテナ間でもケーブルの配線やチューブの配管が実施される場合もある。
【０００５】
このような場合に、コンテナ間のケーブル等がむき出し状態となっていると、日光、風、雨水、雪等によってケーブル等が急激に腐食したり、脆くなるおそれがあった。
【０００６】
そこで、露出したケーブル等を覆うことが考えられるが、複数のコンテナを連結した場合に、ケーブル等の導出部分の位置がずれる場合があるため、露出したケーブル等を覆うにはビニールシートや布等で覆うことが考えられる。しかし、作業効率が悪く、美観も損なうという問題がある。
【０００７】
本考案はこのような課題を考慮してなされたものであり、複数のコンテナを連結した場合に、複数のコンテナの内容物をつなぐ接続部材（ケーブル等）の導出部分を含む係止部に位置ずれがあっても、露出した接続部材を効率よく覆うことができ、しかも美観を損なうことがないダクト部材を提供することを目的とする。
【０００８】
また、本考案の他の目的は、複数のコンテナを連結した際に、複数のコンテナの内容物をつなぐ接続部材（ケーブル等）をむき出しにすることがなく、接続部材の腐食や劣化を抑制することができる収納装置を提供することにある。
【課題を解決するための手段】
【０００９】
［１］  第１の本考案に係るダクト部材は、一方のコンテナの内容物と他方のコンテナの内容物とをつなぐ接続部材を保護するダクト部材であって、前記一方のコンテナに固定され、前記接続部材が挿通される第１固定部と、前記一方のコンテナと前記他方のコンテナの一方向の位置ずれを吸収する第１位置ずれ吸収機構と、前記他方のコンテナに固定され、前記接続部材が挿通される第２固定部と、前記一方のコンテナと前記他方のコンテナの他方向の位置ずれを吸収する第２位置ずれ吸収機構と、前記第１固定部と前記第２固定部とに固定され、前記接続部材が挿通されるカバー部材とを有することを特徴とする。
【００１０】
［２］  第１の本考案において、前記第１固定部は、前記接続部材が挿通される第１筒部と、前記第１筒部の一方の端部に設けられ、前記一方のコンテナに固定される第１コンテナ側フランジ部と、前記第１筒部の他方の端部に設けられた第１カバー側フランジ部と、を有し、前記第２固定部は、前記接続部材が挿通される第２筒部と、前記第２筒部の一方の端部に設けられ、前記他方のコンテナに固定される第２コンテナ側フランジ部と、前記第２筒部の他方の端部に設けられた第２カバー側フランジ部と、を有し、前記カバー部材は、前記接続部材が挿通される第３筒部及び第４筒部と、前記第３筒部の端部に設けられ、前記第１固定部の前記第１カバー側フランジ部に固定される第３フランジ部と、前記第４筒部の端部に設けられ、前記第２固定部の前記第２カバー側フランジ部に固定される第４フランジ部と、を有してもよい。
【００１１】
［３］  この場合、前記第１カバー側フランジ部と前記カバー部材の前記第３フランジ部とが第１締結部材で固定され、前記第２カバー側フランジ部と前記カバー部材の前記第４フランジ部とが第２締結部材で固定され、前記第１位置ずれ吸収機構は、前記カバー部材の第３フランジ部に設けられた第１長孔を有し、前記第２位置ずれ吸収機構は、前記カバー部材の第４フランジ部に設けられた第２長孔を有し、前記第１長孔は、一方向を長軸とし、且つ、前記第１締結部材が挿通され、前記第２長孔は、他方向を長軸とし、且つ、前記第２締結部材が挿通されてもよい。
【００１２】
［４］  ［２］又は［３］において、前記第１カバー側フランジ部と前記第３フランジ部間に第１パッキンが介在し、前記第２カバー側フランジ部と前記第４フランジ部間に第２パッキンが介在してもよい。
【００１３】
［５］  ［２］〜［４］において、前記第１カバー側フランジ部と、前記第３フランジ部と、前記第１カバー側フランジ部及び前記第３フランジ部との間とを覆う第１フランジカバーと、前記第２カバー側フランジ部と、前記第４フランジ部と、前記第２カバー側フランジ部及び前記第４フランジ部との間とを覆う第２フランジカバーと、を有してもよい。
【００１４】
［６］  この場合、前記第１フランジカバーは、前記第１カバー側フランジ部の一方の側部と、前記第３フランジ部の一方の側部と、前記第１カバー側フランジ部及び前記第３フランジ部との間の一方の側部とを覆う一方の第１側部カバーと、前記第１カバー側フランジ部の他方の側部と、前記第３フランジ部の他方の側部と、前記第１カバー側フランジ部及び前記第３フランジ部との間の他方の側部とを覆う他方の第１側部カバーと、前記第１カバー側フランジ部の上部と、前記第３フランジ部の上部と、前記第１カバー側フランジ部及び前記第３フランジ部との間の上部と、前記一方の第１側部カバーの上部と、前記他方の第１側部カバーの上部とを覆う第１上部カバーと、前記第１カバー側フランジ部の下部と、前記第３フランジ部の下部と、前記第１カバー側フランジ部及び前記第３フランジ部との間の下部と、一方の前記第１側部カバーの下部と、前記他方の第１側部カバーの下部とを覆う第１下部カバーと、を有してもよい。
【００１５】
［７］  ［５］又は［６］において、前記第２フランジカバーは、前記第２カバー側フランジ部の一方の側部と、前記第４フランジ部の一方の側部と、前記第２カバー側フランジ部及び前記第４フランジ部との間の一方の側部とを覆う一方の第２側部カバーと、前記第２カバー側フランジ部の他方の側部と、前記第４フランジ部の他方の側部と、前記第２カバー側フランジ部及び前記第４フランジ部との間の他方の側部とを覆う他方の第２側部カバーと、前記第２カバー側フランジ部の上部と、前記第４フランジ部の上部と、前記第２カバー側フランジ部及び前記第４フランジ部との間の上部と、前記一方の第２側部カバーの上部と、前記他方の第２側部カバーの上部とを覆う第２上部カバーと、前記第２カバー側フランジ部の下部と、前記第４フランジ部の下部と、前記第２カバー側フランジ部及び前記第４フランジ部との間の下部と、一方の前記第２側部カバーの下部と、前記他方の第２側部カバーの下部とを覆う第２下部カバーと、を有してもよい。
【００１６】
［８］  ［２］〜［７］において、前記カバー部材は、前記第３筒部及び前記第４筒部を有する基部と、前記基部の内部を覆うカバー部材本体と、を有し、前記基部は、外周に第５フランジ部を有し、前記カバー部材本体は、外周に第６フランジ部を有し、前記第５フランジ部と前記第６フランジ部とが第３締結部材によって固定されていてもよい。
【００１７】
［９］  この場合、前記基部は、内周方向に延びる枠片と、前記枠片からカバー部材本体に向かって突出する張り出し片とを有し、前記カバー部材本体は、その内壁に、第３パッキンが固定された枠部を有し、前記第５フランジ部と前記第６フランジ部とが第３締結部材によって固定された際に、前記張り出し部の先端部が前記第３パッキンに食い込んでもよい。
【００１８】
［１０］  第１の本考案において、前記接続部材は、前記一方のコンテナの内容物と前記他方のコンテナの内容物とを電気的に接続するケーブルであってもよい。
【００１９】
［１１］  この場合、前記内容物は、二次電池であってもよい。
【００２０】
［１２］  第１の本考案において、前記接続部材は、前記一方のコンテナの内容物と前記他方のコンテナの内容物に気体又は液体を供給するためのチューブであってもよい。
【００２１】
［１３］  第２の本考案に係る収納装置は、互いに連結された一方のコンテナ及び他方のコンテナと、前記一方のコンテナの内容物と前記他方のコンテナの内容物とをつなぐ接続部材を保護するダクト部材とを有し、前記ダクト部材は、前記一方のコンテナに固定され、前記接続部材が挿通される第１固定部と、前記一方のコンテナと前記他方のコンテナの一方向の位置ずれを吸収する第１位置ずれ吸収機構と、前記他方のコンテナに固定され、前記接続部材が挿通される第２固定部と、前記一方のコンテナと前記他方のコンテナの他方向の位置ずれを吸収する第２位置ずれ吸収機構と、前記第１固定部と前記第２固定部とに固定され、前記接続部材が挿通されるカバー部材とを有することを特徴とする。
【考案の効果】
【００２２】
本考案に係るダクト部材によれば、複数のコンテナを連結した場合に、複数のコンテナの内容物をつなぐ接続部材（ケーブル等）の導出部分を含む係止部に位置ずれがあっても、露出した接続部材を効率よく覆うことができ、しかも美観を損なうことがない。
【００２３】
また、本考案に係る収納装置は、複数のコンテナを連結した際に、複数のコンテナの内容物をつなぐ接続部材（ケーブル等）をむき出しにすることがなく、接続部材の腐食や劣化を抑制することができる。
【図面の簡単な説明】
【００２４】
【図１】本実施の形態に係る第１ダクト部材〜第３ダクト部材が接続された本実施の形態に係る収納装置を示す斜視図である。
【図２】接続部材を導通媒体（バスバー等）とした場合の第１ダクト部材を垂直方向に切断して示す縦断面図である。
【図３】第１ダクト部材のカバー部材をコンテナ側から見て示す背面図である。
【図４】図４Ａは第１フランジカバーを示す正面図であり、図４Ｂは第２フランジカバーを示す正面図である。
【図５】接続部材を供給媒体（配管等）とした場合の第１ダクト部材を垂直方向に切断して示す縦断面図である。
【考案を実施するための形態】
【００２５】
以下、本考案に係るダクト部材及び収納装置の実施の形態例を図１〜図５を参照しながら説明する。
【００２６】
本実施の形態に係る収納装置１０は、図１に示すように、複数のコンテナにて構成される。図１では、４つのコンテナ（第１コンテナ１２Ａ〜第４コンテナ１２Ｄ）にて１つの収納装置１０が構成された例を示す。
【００２７】
この収納装置１０は、例えば第２コンテナ１２Ｂの上に第１コンテナ１２Ａが積載され、第４コンテナ１２Ｄの上に第３コンテナ１２Ｃが積載され、第１コンテナ１２Ａと第２コンテナ１２Ｂの組と、第３コンテナ１２Ｃと第４コンテナ１２Ｄの組とが並置されて構成されている。第１コンテナ１２Ａ〜第４コンテナ１２Ｄには、それぞれ内容物として図示しない二次電池が収容されている。二次電池としては、例えばＮａＳ電池やリチウム電池、ナトリウム電池等が挙げられる。
【００２８】
そして、この収納装置１０には、第１コンテナ１２Ａ内の二次電池と第２コンテナ１２Ｂ内の二次電池とを電気的に接続する導通媒体（バスバー等：図示せず）が第１ダクト部材２０Ａにて被覆保護され、第３コンテナ１２Ｃ内の二次電池と第４コンテナ１２Ｄ内の二次電池とを電気的に接続する導通媒体が第２ダクト部材２０Ｂにて被覆保護されている。さらに、第１コンテナ１２Ａ内の二次電池と第３コンテナ１２Ｃ内の二次電池とを電気的に接続する導通媒体が第３ダクト部材２０Ｃにて被覆保護されている。
【００２９】
ここで、代表的に第１ダクト部材２０Ａについて図２〜図４Ｂを参照しながら説明する。
【００３０】
先ず、図２に示すように、第１コンテナ１２Ａ内の二次電池と第２コンテナ１２Ｂ内の二次電池を電気的に接続する導通媒体２２は、第１コンテナ１２Ａから第１挿通孔２４ａを介して導出された第１導通媒体２２ａと、第２コンテナ１２Ｂから第２挿通孔２４ｂを介して導出された第２導通媒体２２ｂと、第１導通媒体２２ａと第２導通媒体２２ｂとを電気的に接続する連結媒体２２ｃとを有する。第１導通媒体２２ａ、第２導通媒体２２ｂ、連結媒体２２ｃとしては、バスバーやケーブル等が挙げられる。
【００３１】
第１ダクト部材２０Ａは、第１コンテナ１２Ａに固定され、第１導通媒体２２ａが挿通される例えば金属製の第１固定部２６Ａと、第２コンテナ１２Ｂに固定され、第２導通媒体２２ｂが挿通される例えば金属製の第２固定部２６Ｂと、第１固定部２６Ａと第２固定部２６Ｂとに固定され、第１導通媒体２２ａ、第２導通媒体２２ｂ及び連結媒体２２ｃが挿通される例えば金属製のカバー部材２８とを有する。
【００３２】
また、第１ダクト部材２０Ａは、第１コンテナ１２Ａと第２コンテナ１２Ｂの一方向（例えば水平方向：ｘ方向）の位置ずれを吸収する第１位置ずれ吸収機構３０Ａと、第１コンテナ１２Ａと第２コンテナ１２Ｂの他方向（例えば垂直方向：ｙ方向）の位置ずれを吸収する第２位置ずれ吸収機構３０Ｂとを有する。
【００３３】
第１固定部２６Ａは、第１導通媒体２２ａが挿通される第１筒部３２ａと、該第１筒部３２ａの一方の端部に例えば溶接等によって設けられ、第１コンテナ１２Ａに固定される第１コンテナ側フランジ部３４ａと、第１筒部３２ａの他方の端部に例えば溶接等によって設けられた第１カバー側フランジ部３６ａとを有する。
【００３４】
第１筒部３２ａは例えば角筒状や円筒状を有し、第１コンテナ側フランジ部３４ａ及び第１カバー側フランジ部３６ａは平面から見て例えば外周形状が矩形状や円形状を有し、内周形状が矩形状や円形状を有する環状とされている。
【００３５】
第１コンテナ側フランジ部３４ａは、第１コンテナ１２Ａのうち、第１導通媒体２２ａが導出される位置（第１コンテナ１２Ａの第１挿通孔２４ａの位置）に、且つ、導出された第１導通媒体２２ａを第１筒部３２ａで被覆する形態で固定される。この場合、第１筒部３２ａの内径、外径、並びに第１コンテナ側フランジ部３４ａの外径は、第１固定部２６Ａを第１コンテナ１２Ａに固定するための固定しろの確保、第１筒部３２ａの曲げ強度の確保等を考慮して適宜選定することが好ましい。なお、第１筒部３２ａの内径は第１挿通孔２４ａの径よりも大きくてもよいし、小さくてもよい。また、第１コンテナ側フランジ部３４ａの外径と第１カバー側フランジ部３６ａの外径は同じであってもよいし、異なっていてもよい。
【００３６】
第２固定部２６Ｂは、第２導通媒体２２ｂが挿通される第２筒部３２ｂと、第２筒部３２ｂの一方の端部に例えば溶接等によって設けられ、第２コンテナ１２Ｂに固定される第２コンテナ側フランジ部３４ｂと、第２筒部３２ｂの他方の端部に例えば溶接等によって設けられた第２カバー側フランジ部３６ｂとを有する。
【００３７】
第２筒部３２ｂも例えば角筒状や円筒状を有し、第２コンテナ側フランジ部３４ｂ及び第２カバー側フランジ部３６ｂについても、平面から見て例えば外周形状が矩形状や円形状を有し、内周形状が矩形状や円形状を有する環状とされている。
【００３８】
上述した第１固定部２６Ａと同様に、第２固定部２６Ｂの第２コンテナ側フランジ部３４ｂは、第２コンテナ１２Ｂのうち、第２導通媒体２２ｂが導出される位置（第２コンテナ１２Ｂの第２挿通孔２４ｂの位置）に、且つ、導出された第２導通媒体２２ｂを第２筒部３２ｂで被覆する形態で固定される。この場合、第２筒部３２ｂの内径、外径、並びに第２コンテナ側フランジ部３４ｂの外径は、第２固定部２６Ｂを第２コンテナ１２Ｂに固定するための固定しろの確保、第２筒部３２ｂの曲げ強度の確保等を考慮して適宜選定することが好ましい。なお、第２筒部３２ｂの内径は第２挿通孔２４ｂの径よりも大きくてもよいし、小さくてもよい。また、第２コンテナ側フランジ部３４ｂの外径と第２カバー側フランジ部３６ｂの外径は同じであってもよいし、異なっていてもよい。
【００３９】
カバー部材２８は、第１導通媒体２２ａが挿通される第３筒部３２ｃと、第２導通媒体２２ｂが挿通される第４筒部３２ｄと、第３筒部３２ｃの端部に例えば溶接等によって設けられ、第１固定部２６Ａの第１カバー側フランジ部３６ａに固定される第３フランジ部３６ｃと、第４筒部３２ｄの端部に例えば溶接等によって設けられ、第２固定部２６Ｂの第２カバー側フランジ部３６ｂに固定される第４フランジ部３６ｄとを有する。
【００４０】
第３筒部３２ｃ及び第４筒部３２ｄは例えば角筒状や円筒状を有し、第１コンテナ側フランジ部３４ａ及び第１カバー側フランジ部３６ａは平面から見て例えば外周形状が矩形状や円形状を有し、内周形状が矩形状や円形状を有する環状とされている。
【００４１】
第１カバー側フランジ部３６ａとカバー部材２８の第３フランジ部３６ｃとは、第１締結部材３８ａで固定されている。第１締結部材３８ａとしては、例えば第１ボルト４０ａと第１ナット４２ａ等が挙げられる。この場合、第１コンテナ側フランジ部３４ａの外径と第３フランジ部３６ｃの外径は同じであってもよいし、異なっていてもよい。しかし、パッキンを介在させたり、水切りを目的としたカバーを取り付けること、並びに作業効率等を考慮すると、これらの外径は同じであることが好ましい。
【００４２】
第２カバー側フランジ部３６ｂとカバー部材２８の第４フランジ部３６ｄとは、第２締結部材３８ｂで固定されている。第２締結部材３８ｂとしては、例えば第２ボルト４０ｂと第２ナット４２ｂ等が挙げられる。この場合も、第２コンテナ側フランジ部３４ｂの外径と第４フランジ部３６ｄの外径は同じであってもよいし、異なっていてもよい。しかし、パッキンを介在させたり、水切りを目的としたカバーを取り付けること、並びに作業効率等を考慮すると、これらの外径は同じであることが好ましい。
【００４３】
第１位置ずれ吸収機構３０Ａは、図３に示すように、カバー部材２８の基部５８の第３フランジ部３６ｃに設けられた第１長孔４４ａを有する。第１長孔４４ａは、一方向を長軸とし、且つ、第１締結部材３８ａの第１ボルト４０ａが挿通される。これにより、連結した際の第１コンテナ１２Ａと第２コンテナ１２Ｂの一方向（例えば水平方向：ｘ方向）の位置ずれを吸収することができる。
【００４４】
第２位置ずれ吸収機構３０Ｂは、カバー部材２８の基部５８の第４フランジ部３６ｄに設けられた第２長孔４４ｂを有する。第２長孔４４ｂは、他方向を長軸とし、且つ、第２締結部材３８ｂの第２ボルト４０ｂが挿通される。これにより、第１コンテナ１２Ａと第２コンテナ１２Ｂの他方向（例えば垂直方向：ｙ方向）の位置ずれを吸収することができる。
【００４５】
さらに、この第１ダクト部材２０Ａは、第１カバー側フランジ部３６ａと第３フランジ部３６ｃとの間に第１パッキン４６ａが装着され、第２カバー側フランジ部３６ｂと第４フランジ部３６ｄとの間に第２パッキン４６ｂが装着されている。これにより、第１カバー側フランジ部３６ａと第３フランジ部３６ｃとの間、並びに第２カバー側フランジ部３６ｂと第４フランジ部３６ｄとの間にちりや粉塵が入り込むのを防止することができる。また、第１パッキン４６ａ及び第２パッキン４６ｂは、奥行方向（ｚ方向）に変位可能であることから、第１締結部材３８ａ及び第２締結部材３８ｂの締め付けを調整することで、連結した際の第１コンテナ１２Ａと第２コンテナ１２Ｂの奥行方向（ｚ方向）の位置ずれを吸収することができる。
【００４６】
また、第１カバー側フランジ部３６ａと第３フランジ部３６ｃとが締結された部分には第１フランジカバー４８Ａが被覆され、第２カバー側フランジ部３６ｂと第４フランジ部３６ｄとが締結された部分には第２フランジカバー４８Ｂが被覆される。これら第１フランジカバー４８Ａ及び第２フランジカバー４８Ｂは、例えば鋼板等で構成することができる。
【００４７】
具体的には、図４Ａに示すように、第１フランジカバー４８Ａは、一方の第１側部カバー５０ａと、他方の第１側部カバー５０ｂと、第１上部カバー５２ａと、第１下部カバー５２ｂとを有する。
【００４８】
一方の第１側部カバー５０ａは、第１カバー側フランジ部３６ａの一方の側部と、第３フランジ部３６ｃの一方の側部と、第１カバー側フランジ部３６ａ及び第３フランジ部３６ｃとの間の一方の側部とを覆うように設置される。
【００４９】
他方の第１側部カバー５０ｂは、第１カバー側フランジ部３６ａの他方の側部と、第３フランジ部３６ｃの他方の側部と、第１カバー側フランジ部３６ａ及び第３フランジ部３６ｃとの間の他方の側部とを覆うように設置される。
【００５０】
第１上部カバー５２ａは、第１カバー側フランジ部３６ａの上部と、第３フランジ部３６ｃの上部と、第１カバー側フランジ部３６ａ及び第３フランジ部３６ｃとの間の上部と、一方の第１側部カバー５０ａの上部と、他方の第１側部カバー５０ｂの上部とを覆うように設置される。
【００５１】
第１下部カバー５２ｂは、第１カバー側フランジ部３６ａの下部と、第３フランジ部３６ｃの下部と、第１カバー側フランジ部３６ａ及び第３フランジ部３６ｃとの間の下部と、一方の第１側部カバー５０ａの下部と、他方の第１側部カバー５０ｂの下部とを覆うように設置される。
【００５２】
このように、一方の第１側部カバー５０ａと他方の第１側部カバー５０ｂとを被覆した後に、第１上部カバー５２ａと第１下部カバー５２ｂを被覆したので、第１カバー側フランジ部３６ａと第３フランジ部３６ｃとが締結された部分全体を簡単に第１フランジカバー４８Ａで被覆することができ、しかも、雨水等の水の浸入を防止することができる。
【００５３】
第２フランジカバー４８Ｂは、図４Ｂに示すように、一方の第２側部カバー５４ａと、他方の第２側部カバー５４ｂと、第２上部カバー５６ａと、第２下部カバー５６ｂとを有する。
【００５４】
一方の第２側部カバー５４ａは、第２カバー側フランジ部３６ｂの一方の側部と、第４フランジ部３６ｄの一方の側部と、第２カバー側フランジ部３６ｂ及び第４フランジ部３６ｄとの間の一方の側部とを覆うように設置される。
【００５５】
他方の第２側部カバー５４ｂは、第２カバー側フランジ部３６ｂの他方の側部と、第４フランジ部３６ｄの他方の側部と、第２カバー側フランジ部３６ｂ及び第４フランジ部３６ｄとの間の他方の側部とを覆うように設置される。
【００５６】
第２上部カバー５６ａは、第２カバー側フランジ部３６ｂの上部と、第４フランジ部３６ｄの上部と、第２カバー側フランジ部３６ｂ及び第４フランジ部３６ｄとの間の上部と、一方の第２側部カバー５４ａの上部と、他方の第２側部カバー５４ｂの上部とを覆うように設置される。
【００５７】
第２下部カバー５６ｂは、第２カバー側フランジ部３６ｂの下部と、第４フランジ部３６ｄの下部と、第２カバー側フランジ部３６ｂ及び第４フランジ部３６ｄとの間の下部と、一方の第２側部カバー５４ａの下部と、他方の第２側部カバー５４ｂの下部とを覆うように設置される。
【００５８】
この場合も、一方の第２側部カバー５４ａと他方の第２側部カバー５４ｂとを被覆した後に、第２上部カバー５６ａと第２下部カバー５６ｂを被覆したので、第２カバー側フランジ部３６ｂと第４フランジ部３６ｄとが締結された部分全体を簡単に第２フランジカバー４８Ｂで被覆することができ、しかも、雨水等の水の浸入を防止することができる。
【００５９】
一方、カバー部材２８は、例えば金属製の第３筒部３２ｃ及び第４筒部３２ｄを有する基部５８と、基部５８の内部を覆う例えば金属製のカバー部材本体６０と、を有する。すなわち、カバー部材２８内を連結媒体２２ｃが挿通することになる。
【００６０】
基部５８は、外周に第５フランジ部３６ｅを有し、カバー部材本体６０は、外周に第６フランジ部３６ｆを有する。第５フランジ部３６ｅと第６フランジ部３６ｆとは第３締結部材３８ｃによって固定される。第３締結部材３８ｃとしては、例えば第３ボルト４０ｃと第３ナット４２ｃ等が挙げられる。この場合、第５フランジ部３６ｅの外径と第６フランジ部３６ｆの外径は同じであってもよいし、異なっていてもよい。
【００６１】
従って、連結された第１コンテナ１２Ａと第２コンテナ１２Ｂ間に第１ダクト部材２０Ａを取り付ける場合、第１コンテナ１２Ａに第１固定部２６Ａを固定し、第２コンテナ１２Ｂに第２固定部２６Ｂを固定する。このとき、第１固定部２６Ａの第１筒部３２ａ内に第１導通媒体２２ａを挿通させ、第２固定部２６Ｂの第２筒部３２ｂ内に第２導通媒体２２ｂを挿通させて行う。
【００６２】
その後、第１固定部２６Ａの第１カバー側フランジ部３６ａに、カバー部材２８の基部５８の第３フランジ部３６ｃを第１位置ずれ吸収機構３０Ａを介して固定し、第２固定部２６Ｂの第２カバー側フランジ部３６ｂに、カバー部材２８の基部５８の第４フランジ部３６ｄを第２位置ずれ吸収機構３０Ｂを介して固定する。このとき、カバー部材２８の第３筒部３２ｃ内に第１導通媒体２２ａを挿通させ、カバー部材２８の第４筒部３２ｄ内に第２導通媒体２２ｂを挿通させて行う。その後、カバー部材２８の基部５８から露出する第１導通媒体２２ａの端部と第２導通媒体２２ｂの端部とを連結媒体２２ｃで電気的に接続する。その後、基部５８にカバー部材本体６０を第３締結部材３８ｃによって固定する。
【００６３】
なお、第１ダクト部材２０Ａ内に配線された導通媒体２２の状態を確認する場合、第１ダクト部材２０Ａ全体を取り外すことなく、第３締結部材３８ｃを取り外してカバー部材本体６０だけを取り外すことで、導通媒体２２の状態を確認することができる。その結果、導通媒体２２の確認作業を迅速にすることが可能となる。
【００６４】
カバー部材２８の基部５８は、第５フランジ部３６ｅの内周部の位置から基部５８の内周方向に断面Ｌ字状の第１枠部６２Ａが一体に形成されている。この第１枠部６２Ａは、基部５８の内周方向に延びる枠片６４と、枠片６４の内周部からカバー部材本体６０に向かって突出する張り出し片６６とを一体に有する。
【００６５】
カバー部材本体６０の内壁には、第６フランジ部３６ｆの内周部の位置よりもカバー部材本体６０の前面部６８側に偏位した位置に、第２枠部６２Ｂが例えば溶接等によって固定されている。この第２枠部６２Ｂのうち、基部５８と対向する面に第３パッキン４６ｃが固着されている。
【００６６】
そして、基部５８にカバー部材本体６０を取り付けた際に、第１枠部６２Ａの張り出し片６６の先端部が第２枠部６２Ｂに固着された第３パッキン４６ｃに食い込むことになる。その結果、基部５８とカバー部材本体６０間に第３パッキン４６ｃが装着されることで、基部５８とカバー部材本体６０間にちりや粉塵が入り込むのを防止することができる。しかも、基部５８から第３パッキン４６ｃにわたって延在する第１枠部６２Ａが雨水等の水の浸入を防止する水切りとして機能することになる。
【００６７】
なお、カバー部材本体６０の前面部６８に取っ手７０を設けるようにすれば、基部５８へのカバー部材本体６０の取り付け作業や、カバー部材本体６０の取り外し作業を容易に行うことができる。
【００６８】
次に、第２ダクト部材２０Ｂ及び第３ダクト部材２０Ｃについて説明するが、第２ダクト部材２０Ｂは、取り付け対象が第１コンテナ１２Ａの代わりに第３コンテナ１２Ｃ、第２コンテナ１２Ｂの代わりに第４コンテナ１２Ｄとなるだけで、第１ダクト部材２０Ａとほぼ同じ構成を有する。そのため、その詳細説明を省略する。
【００６９】
また、第３ダクト部材２０Ｃは、取り付け対象が第２コンテナ１２Ｂの代わりに第３コンテナ１２Ｃとなることと、一方向が水平方向（ｘ方向）ではなく、垂直方向（ｙ方向）となり、他方向が垂直方向（ｙ方向）ではなく、水平方向（ｘ方向）となるだけで、第１ダクト部材２０Ａとほぼ同じ構成を有する。そのため、その詳細説明を省略する。
【００７０】
そして、本実施の形態に係る収納装置１０は、第１コンテナ１２Ａ及び第２コンテナ１２Ｂから導出される導通媒体が上述した第１ダクト部材２０Ａにて被覆保護され、第３コンテナ１２Ｃ及び第４コンテナ１２Ｄから導出される導通媒体が第２ダクト部材２０Ｂにて被覆保護され、第１コンテナ１２Ａ及び第３コンテナ１２Ｃから導出される導通媒体が第３ダクト部材２０Ｃにて被覆保護される。
【００７１】
そのため、第１コンテナ１２Ａ〜第４コンテナ１２Ｄを連結した際に、導通媒体をむき出しにすることがなく、導通媒体の腐食や劣化を抑制することができる。これは、各コンテナ内の内容物の保護や、保守点検の作業効率の向上、ランニングコストの低減等にもつながる。
【００７２】
上述の例では、第１コンテナ１２Ａ及び第２コンテナ１２Ｂから導出される導通媒体２２（バスバーやケーブル等）を被覆保護する例を示したが、その他、例えば図５に示すように、第１コンテナ１２Ａの内容物と第２コンテナ１２Ｂの内容物に対して例えば冷却や保温を目的とした気体又は液体を供給する供給媒体７２（配管等）を被覆保護する場合にも適用することができる。
【００７３】
供給媒体７２としては、第１コンテナ１２Ａから導出された第１配管７２ａと、第２コンテナ１２Ｂから導出された第２配管７２ｂと、第１配管７２ａと第２配管７２ｂをつなぐ連結配管７２ｃとで構成される。連結配管７２ｃは、中継配管７４と、第１配管７２ａの端部と中継配管７４の一方の端部とを接続する第１管継手７６ａと、第２配管７２ｂの端部と中継配管７４の他方の端部とを接続する第２管継手７６ｂとを有する。
【００７４】
この場合も、上述した導通媒体２２の場合と同様の手順で第１ダクト部材２０Ａを取り付ければよい。
【００７５】
なお、本考案に係るダクト部材及び収納装置は、上述の実施の形態に限らず、本考案の要旨を逸脱することなく、種々の構成を採り得ることはもちろんである。
【符号の説明】
【００７６】
１０…収納装置
１２Ａ〜１２Ｄ…第１コンテナ〜第４コンテナ
２０Ａ〜２０Ｃ…第１ダクト部材〜第３ダクト部材
２２…導通媒体                        ２２ａ…第１導通媒体
２２ｂ…第２導通媒体                  ２２ｃ…連結媒体
２４ａ…第１挿通孔                    ２４ｂ…第２挿通孔
２６Ａ…第１固定部                    ２６Ｂ…第２固定部
２８…カバー部材                      ３０Ａ…第１位置ずれ吸収機構
３０Ｂ…第２位置ずれ吸収機構          ３２ａ〜３２ｄ…第１筒部〜第４筒部
３４ａ…第１コンテナ側フランジ部      ３４ｂ…第２コンテナ側フランジ部
３６ａ…第１カバー側フランジ部        ３６ｂ…第２カバー側フランジ部
３６ｃ〜３６ｆ…第３フランジ部〜第６フランジ部
３８ａ〜３８ｃ…第１締結部材〜第３締結部材
４４ａ…第１長孔                      ４４ｂ…第２長孔
４６ａ〜４６ｃ…第１パッキン〜第３パッキン
４８Ａ…第１フランジカバー            ４８Ｂ…第２フランジカバー
５０ａ…一方の第１側部カバー          ５０ｂ…他方の第１側部カバー
５２ａ…第１上部カバー                ５２ｂ…第１下部カバー
５４ａ…一方の第２側部カバー          ５４ｂ…他方の第２側部カバー
５６ａ…第２上部カバー                ５６ｂ…第２下部カバー
５８…基部                            ６０…カバー部材本体
６２Ａ…第１枠部                      ６２Ｂ…第２枠部
６４…枠片                            ６６…張り出し片
【図１】
0003202750.tif 000003
【図２】
0003202750.tif 000004
【図３】
0003202750.tif 000005
【図４】
0003202750.tif 000006
【図５】
0003202750.tif 000007